【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
複数の編針が長手方向に並設される針床を有し、各編針は該長手方向に垂直な方向に往復動し、該往復動の一方側に進出して編糸の給糸を受けて編地を編成し、該針床の編地編成側の先端に配置され、揺動変位して編地を押えることが可能な可動シンカを備える横編機において、
各編針に隣接して設けられ、先端から基端までの部分が各編針に並設されるスペーサとなり、該針床の先端よりも該編地編成側に先端が突出し、基端が針床で支持される支持部材と、
支持部材の先端を該針床の長手方向に貫通する編糸係止ワイヤとを含み、
可動シンカの揺動変位部分で、編糸係止ワイヤが貫通する位置には、該可動シンカの揺動変位を許容する弧状の長孔が形成され、
前記支持部材は、前記先端がヤーンガイドとなって、編針に給糸される編糸を案内し、
前記先端がヤーンガイドとなる支持部材は、大略的に板状であり、前記先端付近には、抜き穴が設けられることを特徴とする可動シンカを備える横編機。
【請求項２】
複数の編針が長手方向に並設される針床を有し、各編針は該長手方向に垂直な方向に往復動し、該往復動の一方側に進出して編糸の給糸を受けて編地を編成し、該針床の編地編成側の先端に配置され、揺動変位して編地を押えることが可能な可動シンカを備える横編機において、
各編針に隣接して設けられ、該針床の先端よりも該編地編成側に先端が突出し、編針が往復動する前記針床の表面側に対し、裏面側で基端が支持される支持部材と、
編針に給糸される編糸を案内するヤーンガイドスペーサと、
支持部材の先端を該針床の長手方向に貫通する編糸係止ワイヤとを含み、
可動シンカの揺動変位部分で、編糸係止ワイヤが貫通する位置には、該可動シンカの揺動変位を許容する弧状の長孔が形成され、
ヤーンガイドスペーサは、大略的に板状であり、前記先端付近には、抜き穴が設けられることを特徴とする可動シンカを備える横編機。
【請求項３】
前記支持部材は、前記先端の側方で、前記針床の前記編地編成側に該針床から突出する前記編針の側方への変位を規制するニードルサポートであることを特徴とする請求項１または２記載の可動シンカを備える横編機。
【手続補正２】
【補正対象書類名】明細書
【補正対象項目名】００２０
【補正方法】変更
【補正の内容】
【００２０】
本発明は、複数の編針が長手方向に並設される針床を有し、各編針は該長手方向に垂直な方向に往復動し、該往復動の一方側に進出して編糸の給糸を受けて編地を編成し、該針床の編地編成側の先端に配置され、揺動変位して編地を押えることが可能な可動シンカを備える横編機において、
各編針に隣接して設けられ、先端から基端までの部分が各編針に並設されるスペーサとなり、該針床の先端よりも該編地編成側に先端が突出し、基端が針床で支持される支持部材と、
支持部材の先端を該針床の長手方向に貫通する編糸係止ワイヤとを含み、
可動シンカの揺動変位部分で、編糸係止ワイヤが貫通する位置には、該可動シンカの揺動変位を許容する弧状の長孔が形成され、
前記支持部材は、前記先端がヤーンガイドとなって、編針に給糸される編糸を案内し、
前記先端がヤーンガイドとなる支持部材は、大略的に板状であり、前記先端付近には、抜き穴が設けられることを特徴とする可動シンカを備える横編機である。
【手続補正３】
【補正対象書類名】明細書
【補正対象項目名】００２１
【補正方法】変更
【補正の内容】
【００２１】
さらに本発明は、複数の編針が長手方向に並設される針床を有し、各編針は該長手方向に垂直な方向に往復動し、該往復動の一方側に進出して編糸の給糸を受けて編地を編成し、該針床の編地編成側の先端に配置され、揺動変位して編地を押えることが可能な可動シンカを備える横編機において、
各編針に隣接して設けられ、該針床の先端よりも該編地編成側に先端が突出し、編針が往復動する前記針床の表面側に対し、裏面側で基端が支持される支持部材と、
編針に給糸される編糸を案内するヤーンガイドスペーサと、
支持部材の先端を該針床の長手方向に貫通する編糸係止ワイヤとを含み、
可動シンカの揺動変位部分で、編糸係止ワイヤが貫通する位置には、該可動シンカの揺動変位を許容する弧状の長孔が形成され、
ヤーンガイドスペーサは、大略的に板状であり、前記先端付近には、抜き穴が設けられることを特徴とする可動シンカを備える横編機である。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２５
【補正方法】変更
【補正の内容】
【００２５】
本発明によれば、可動シンカを備える横編機は、支持部材と編糸係止ワイヤとを含み、支持部材は、各編針に隣接して設けられ、針床の先端よりも編地編成側に先端が突出し、基端が針床で支持される。編糸係止ワイヤは、支持部材の先端を針床の長手方向に貫通するので、支持部材によって確実に保持され、天歯を形成することができ、編針が編糸を引込む際に編糸が掛かかり、可動シンカのシンカ溝などに落込むのを確実に防ぐことができる。可動シンカの揺動変位部分で、編糸係止ワイヤが貫通する位置には、可動シンカの揺動変位を許容する弧状の長孔が形成されているので、編糸係止ワイヤが天歯として針床の先端に設けられていても、編地を押下げる機能を充分に発揮させることができる。支持部材は、先端から基端までの部分が編針に並設されるスペーサであるので、編針毎に支持部材を設け、支持部材の先端で編糸係止ワイヤを確実に保持することができる。
また、支持部材は、先端がヤーンガイドとなって、編針に給糸される編糸を案内するとともに、編糸係止ワイヤを支持して、編目の形成を円滑に行うことができる。
また、先端がヤーンガイドとなる支持部材は、大略的に板状であり、先端付近には抜き穴が設けられる。抜き穴は、編糸を引込んで編目を形成する編針の先端付近の側方に空間を形成する。編糸のノックオーバ時の可動シンカと編針との隙間が広くなり、編針の先端で引込んで形成する編目の新ループよりも幅方向の外方を通って、旧ループを円滑に編針から離脱させることができる。
【手続補正７】
【補正対象書類名】明細書
【補正対象項目名】００２６
【補正方法】変更
【補正の内容】
【００２６】
さらに本発明によれば、可動シンカを備える横編機は、支持部材とヤーンガイドスペーサと編糸係止ワイヤとを含み、支持部材は、各編針に隣接して設けられ、針床の先端よりも編地編成側に先端が突出し、基端が針床で支持される。編糸係止ワイヤは、支持部材の先端を針床の長手方向に貫通するので、支持部材によって確実に保持され、天歯を形成することができ、編針が編糸を引込む際に編糸が掛かかり、可動シンカのシンカ溝などに落込むのを確実に防ぐことができる。可動シンカの揺動変位部分で、編糸係止ワイヤが貫通する位置には、可動シンカの揺動変位を許容する弧状の長孔が形成されているので、編糸係止ワイヤが天歯として針床の先端に設けられていても、編地を押下げる機能を充分に発揮させることができる。支持部材の基端は、編針が往復動する針床の表面側に対し、裏面側で支持されるので、編糸係止ワイヤを除去すれば、支持部材を針床の裏面側から容易に着脱することができる。
また、編針に給糸される編糸を案内するヤーンガイドスペーサは、大略的に板状であり、先端付近には抜き穴が設けられる。抜き穴は、編糸を引込んで編目を形成する編針の先端付近の側方に空間を形成する。編糸のノックオーバ時の可動シンカと編針との隙間が広くなり、編針の先端で引込んで形成する編目の新ループよりも幅方向の外方を通って、旧ループを円滑に編針から離脱させることができる。
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】